(57)【特許請求の範囲】
【請求項１】
食料品等を収納し、扉の開閉によって収納物を出し入れするパントリーにおいて、
所定の構成からなる家族が所定の日数を過ごすことができるだけの非常食料品を保管可能な容量を有する非常食料品保管スペースと、
非常食料品以外の非常用備品を保管可能な非常用備品保管スペースと、
停電時においても収納物を視認可能とする人感センサー式の非常照明と、を備え、
扉には、地震時に扉を閉止状態に保持し、収納物が飛散するのを防止するための耐震機構を設けるとともに、
地震時にロックがかかって引き出しの飛び出しを防止するための引き出しロック機構、及び／又は、地震時に棚から収納物の落下を防止するための落下防止機構を設けたパントリー。
【請求項２】
該非常食料品保管スペースを構成する引き出しの側面に、ストックしておくべき備蓄量にあわせて、引き出し方向に移動自在とされたゲージを備え、
賞味期限管理シールを貼付した非常食料品を、引き出し手前側ほど、賞味期限が近いものがくるように収納し、
収納した非常食料品の量が、該ゲージを目印として、ストックしておくべき備蓄量よりも少なくなったときには、引き出し奥側から非常食料品を補充するようにして、
該非常食料品保管スペースに保管される非常食料品の備蓄量、及び賞味期限を容易に管理可能とした請求項１に記載のパントリー。
【請求項３】
請求項１又は２に記載のパントリーに収納される非常食料品、非常用備品等の持ち出し可能な防災用品にＩＣチップを付着させておき、
携帯端末によって、該防災用品を持ち出した家族構成員の所在位置を確認するようにした、非常時所在位置確認方法。
【発明の詳細な説明】
【技術分野】
【０００１】
本発明は、パントリーに関し、特に非常食料品や非常用備品等の防災用品を収納可能としたパントリーに関する。
【背景技術】
【０００２】
従来、一般住宅において、主として食品を常温で保管する目的でパントリーが用いられることがあり、収納メーカーやキッチンメーカー等が開発・販売を行っている。また、近年では建築時においてパントリーをあらかじめ備え付けた住宅も増えている。
【０００３】
このようなパントリーにあって、居住空間の温度変化の影響を受けずに、食品等を略常温の一定温度で保管できるようにしたものとして、例えば特許文献１がある。
【０００４】
【特許文献１】特開２００２−２１３７８８
【発明の開示】
【発明が解決しようとする課題】
【０００５】
しかしながら、地震等震災に強い住宅や住宅設備に関心が集まる中、上記特許文献１に記載されたものを含めて、非常時を想定した仕様のパントリーはこれまで提供されてこなかった。従って、従来のパントリーによれば、非常食料品や非常用備品等の防災用品の収納を想定した仕様になっておらず、収納物が破損しないような配慮や停電時の対応等が考慮されていないことから、非常時の使用には耐えられないものであった。
【０００６】
そこで、本発明は上記問題に鑑みてなされたものであり、非常食料品や非常用備品等の防災用品を収納することができ、非常時の使用にも耐え得るパントリーを提供することを目的とするものである。
【課題を解決するための手段】
【０００７】
上記の課題を解決するために、請求項１に記載のパントリーは、食料品等を収納し、扉の開閉によって収納物を出し入れするパントリーにおいて、
所定の構成からなる家族が所定の日数を過ごすことができるだけの非常食料品を保管可能な容量を有する非常食料品保管スペースと、
非常食料品以外の非常用備品を保管可能な非常用備品保管スペースと、
停電時においても収納物を視認可能とする人感センサー式の非常照明と、を備え、
扉には、地震時に扉を閉止状態に保持し、収納物が飛散するのを防止するための耐震機構を設けるとともに、
地震時にロックがかかって引き出しの飛び出しを防止するための引き出しロック機構、及び／又は、地震時に棚から収納物の落下を防止するための落下防止機構を設けたことを要旨とする。
【０００８】
また、請求項２に記載のパントリーは、請求項１に記載の構成のパントリーにおいて、該非常食料品保管スペースを構成する引き出しの側面に、ストックしておくべき備蓄量にあわせて、引き出し方向に移動自在とされたゲージを備え、
賞味期限管理シールを貼付した非常食料品を、引き出し手前側ほど、賞味期限が近いものがくるように収納し、
収納した非常食料品の量が、該ゲージを目印として、ストックしておくべき備蓄量よりも少なくなったときには、引き出し奥側から非常食料品を補充するようにして、
該非常食料品保管スペースに保管される非常食料品の備蓄量、及び賞味期限を容易に管理可能としたことを要旨とする。
【０００９】
また、請求項３に記載の非常時所在位置確認方法は、請求項１又は２に記載のパントリーに収納される非常食料品、非常用備品等の持ち出し可能な防災用品にＩＣチップを付着させておき、
携帯端末によって、該防災用品を持ち出した家族構成員の所在位置を確認するようにしたことを要旨とする。
【発明の効果】
【００１０】
本発明に係るパントリーによれば、所定の非常食料品保管スペースと非常用備品保管スペース、人感センサー式の非常照明が備えられ、扉には耐震機構を設けるとともに、引き出しロック機構、及び／又は棚落下防止機構を設けて構成したため、従来の日常食品の保管を目的とした食品収納（パントリー）では収納し難かった防災用品を容易に収納できる他、地震等の非常時においても、収納した防災用品をスムーズに取り出して使用することができる等、非常時の使用にも耐え得るパントリーを提供することが可能となる。
【発明を実施するための最良の形態】
【００１１】
本発明に係るパントリーは、食料品等を収納し、扉の開閉によって収納物を出し入れするものであるが、特に非常食料品を保管する非常食料品保管スペースと、非常用備品を保管する非常用備品保管スペースとを備える。パントリーは、新築時・改築時等において住宅に造り付けとする他、後から設置するタイプのものであってもよい。非常時における使用を想定していることから、いずれの場合も、十分な耐震性や耐火性を備えて構成する。また、非常食料品の長期保存の観点から、パントリー内部を一定温度に保つべく断熱構造とすることが好ましい。必要により、吸気口や換気扇を設けることとしてもよい。
【００１２】
パントリーの全体形状は、縦長直方体の箱体によって構成するのが典型的であるが、その他の形状であってもよい。扉は、非常時に容易に開閉できる構造であれば、取り付け位置、形状は問わないが、非常時における収納物の出し入れを考慮して、パントリーの一面になるべく大きく設けることが好ましい。
【００１３】
非常食料品を保管する非常食料品保管スペースと、非常用備品を保管する非常用備品保管スペースとは、仕切り板等によって区画する。また、非常食料品保管スペース、非常用備品保管スペースは、収納物の整理のために、引き出し又は棚板を用いて構成する。非常食料品の備蓄量及び賞味期限を、本発明に係る方法によって管理する場合、ゲージを備え付けるために、非常食料品保管スペースは、引き出しを用いて構成することが好ましい。
【実施例１】
【００１４】
本発明の第１の実施例を図１〜図６に基づいて説明する。本実施例は、本発明に係るパントリーの一実施形態を示すものである。
【００１５】
図１に示すように、本実施例に係るパントリー（１）は、設置型で縦長直方体の箱体からなる本体（２）と、正面に両開きの扉（３）（４）を備えて構成されている。扉（３）（４）の取手（６）及び錠（７）部分の台座（６ａ）（７ａ）には、暗闇で光を発する蓄光テープが貼設されて、停電時にその位置が視認できるようになされているとともに、扉（３）（４）上方の上框（８）には、人が近づくとセンサーによってこれを感知し、そのセンサーによる人体感知に基づいて発光する人感センサー付ＬＥＤ照明（乾電池式）からなる非常照明（９）が設けられて、停電時にもパントリー（１）内部の収納物が視認できるようになされている。また扉（３）（４）には、地震の際に扉（３）（４）を閉止状態に保持し、パントリー（１）内部の収納物が飛散するのを防止するための、スライドラッチ式ロック等耐震ラッチ機構が設けられている。
【００１６】
図２に示すように、パントリー（１）内部は、上下二室に区画され、非常食料品収納スペース（１０）の上方に非常用備品収納スペース（１１）が設けられている。また、扉（３）（４）裏面の目に付き易い場所には、非常時に必要な情報（非難経路）、非常持ち出し品、連絡先、家族の役割分担等を記載した防災資料（１３）等を収納するための収納ケース（１４）が設けられている。図３〜図５には、パントリー（１）に付属して提供されるこのような防災資料（１３）の雛形の一例を示す。
【００１７】
非常食料品収納スペース（１０）は、長期保存が可能なレトルト食品、缶詰、即席麺や飲料水等の非常食料品を収納するためのスペースで、図２に示すように、数段の引き出し（２０）を備えて構成されている。非常食料品収納スペース（１０）は、例えば標準家族４人が３日間過ごすのに必要な非常食料品を保管できるような容量、サイズによって形成されている。また、引き出し（２０）には、平常時では普通に引き出し（２０）を使用できるが、地震時にはロックがかかって、引き出し（２０）の飛び出しを防止できるようにしたロック機構が設けられている。
【００１８】
非常用備品収納スペース（１１）は、非常用持ち出しリュック、鍋・やかん、カセットコンロ、予備ボンベ、水筒、ポリタンク、救急箱、懐中電灯等の非常用備品を収納するためのスペースで、図２に示すように、数段の棚（２１）を備えて構成されている。棚（２１）前面には、落下防止機構としての落下防止ネット（２３）が左右にスライド可能に張設されて、収納した非常用備品が地震等の揺れによって飛び出さないようになされている。
【００１９】
図２に示すように、非常食料品収納スペース（１０）の一角には、貴重品トレイ（２５）が設置され、現金、健康保険証、預金通帳等非常時に持ち出しが必要な最低限の貴重品を入れた薄型アタッシュケース状の貴重品ボックス（２６）を収納できるようになっている。
【００２０】
なお、図６には防災用品の収納例を示すが、このような図をチェックシートとして備え付けることとすればより利便性が向上する。
【００２１】
本実施例に係るパントリー（１）によれば、取手（６）及び錠（７）部分の蓄光テープ、非常照明（９）、扉（３）（４）の耐震ラッチ機構、引き出し（２０）のロック機構、棚（２１）の落下防止ネット（２３）等を設けることとしたため、非常時においてもパントリー（１）内部の収納物を確実に使用することができる。
また、非常食料品保管スペース（１０）、非常用備品保管スペース（１１）、防災資料等の収納ケース（１４）、貴重品トレイ（２５）等によって、各種防災用品を収納可能としたため、従来のパントリーの食品収納としての機能を超えて、非常時において多目的に使用できるパントリーを提供することが可能となる。
【実施例２】
【００２２】
本発明の第２の実施例を図７〜図１０を参照しながら説明する。本実施例では、前実施例に係るパントリー（１）において、特に非常食料品の収納について説明する。
【００２３】
すでに述べたように、非常食料品収納スペース（１０）の引き出し（２０）は、標準家族４人が３日間過ごすのに必要な非常食料品を保管できるような容量、サイズによって形成されるが、図７に示すように、引き出し（２０）には、内部に仕切り板（３１）が設けられるとともに、側面に、引き出し方向に移動自在とされ、ストックしておくべき非常食料品（３０）の目安の備蓄量を知るためのゲージ（３２）が設けられている。引き出しの外部正面には、備蓄される非常食料品（３０）の品名等を記入したカード（３３）が、透明ホルダー等によって外部から視認可能に保持されている。
【００２４】
また、図８に示すごとく、備蓄する非常食料品のパッケージ等に直接貼り付けて使用するための賞味期限管理シール（３７）が、備え付けで用意されている。シール（３７）は、非常食料品の在庫管理のため賞味期限をわかりやすく確認するためのもので、図８に示すように、月別に形成され、さらに分別し易いように月ごとに色が変えられている。
【００２５】
かかる構成のもと、非常食料品（３０）を収納し、その備蓄量及び賞味期限を管理するしくみについて以下説明する。
まず、ストックしておくべき非常食料品の必要量を算出する。この算出に際しては、図９〜図１０に示すような家族構成表等を利用するのが便宜である。例えば、父、母（４０歳代）、子供１（男性・大学生）、子供２（男性・高校生）の４人家族を想定した場合、図９中、「生活活動強度」＝「高い」として、必要なエネルギー量はそれぞれ「２８５０kcal／日」「２２００kcal／日」「２９５０kcal／日」「３０５０kcal／日」であるから、家族が一日に必要なエネルギー量は、２８５０＋２２００＋２９５０＋３０５０＝１１０５０kcalであると算出される。そして、図１０に示す「災害時献立（一例）」であれば、２８１２×２＋３３６６×２＝１２３５６kcal（一日目）、２６４１×２＋３０５５×２＝１１３９２kcal（二日目）、２７６１×２＋３２３０×２＝１１９８２kcal（三日目）となり、三日とも家族が一日に必要なエネルギー量１１０５０kcalを摂取することが可能であることが確認でき、さらに図１０に示す「備蓄食料品（一例）」によって、例えば３日分のレトルト食品としては１８袋が必要、というように、上記災害時献立に必要となる各非常食料品の必要量を算出することができる。
次に、引き出し側面に付属するゲージ（３２）を、上記によって算出された食料品ごとの３日分の位置にセットする。
その後、非常食料品（３０）の見易い位置に月別の賞味期限管理シール（３７）を貼り付けて収納する。非常食料品（３０）は、賞味期限の早いものが引き出し（２０）の手前にくるように収納する。
【００２６】
備蓄した非常食料品（３０）は、定期的に点検し、賞味期限管理シール（３７）を目安に日常品にまわして順次入れ替えることが好ましい。このとき、手前の賞味期限の近いものから順に使うようにし、セットしたゲージ（３２）を目印にして、３日分の非常食料品が必要量を割り込まないように奥から補充する。このようにして、手前の方から使って、奥から補充するようにすれば、先に入れた物を先に使うことができるため、賞味期限の管理が容易になる。
【００２７】
上記した方法により、パントリー（１）に非常食料品（３０）を収納保管することとすれば、非常食料品（３０）の備蓄量や賞味期限を一目で容易に把握でき、管理の煩わしさが著しく減少する。そして、いざ非常時となった際に、確実に非常食料品（３０）の提供を行うことができる。
【実施例３】
【００２８】
本発明の第３の実施例について説明する。本実施例は、震災等の非常時に行き先不明となった家族構成員の所在位置を確認するための方法に関する。
【００２９】
本実施例に係る方法においては、まずパントリー等に収納される非常食料品、非常用備品等の非常時に持ち出しが想定される防災用品に、あらかじめ無線のＩＣチップを付着させておく。
ＩＣチップは、識別タグとして他の媒体と一体に形成してもよく、非常食料品等の入れ替えがあるものに付される場合を考慮して、着脱を繰り返せるように例えば薄型のシール状に構成することが好ましい。ＩＣチップは、片面電極に限らず両面電極のものでもよく、書換可能なＲＡＭ方式の他、読み出し専用のＲＯＭ方式を用いてもよい。ＲＯＭ方式であれば、ＩＣチップを非常に薄く、小さく形成することが可能となる。
【００３０】
そして震災等の非常時に、各家族構成員が、上記ＩＣチップの付着された防災用品を持ち出した後に、携帯電話等の携帯端末によって、互いの所在位置を確認することができる。ＩＣチップを検知・識別し、携帯端末によって所在位置を確認する手段としては、公知のものを制限無く用いることができる。
【００３１】
非常時には家族が離れ離れになってしまうことが起こり得るが、上記した方法によれば、持ち出しが想定される防災用品にあらかじめＩＣチップが付着されているため、携帯電話等によって容易に家族の所在位置を知ることができ、きわめて有用である。
【産業上の利用可能性】
【００３２】
本発明は、非常食料品や非常用備品等の防災用品を収納することができ、非常時の使用にも耐え得るパントリーを提供するものであり、産業上の利用可能性を有する。
【図面の簡単な説明】
【００３３】
【図１】パントリーの外観斜視図である。
【図２】パントリーの開扉時における正面図である。
【図３】防災資料の例（１）を示す図である。
【図４】防災資料の例（２）を示す図である。
【図５】防災資料の例（３）を示す図である。
【図６】パントリーの収納例を示す図である。
【図７】非常食料品の収納状況を示す図である。
【図８】賞味期限管理シールの例を示す図である。
【図９】家族構成表の例を示す図である。
【図１０】備蓄食料品と災害時献立の例を示す図である。
【符号の説明】
【００３４】
１  パントリー
２  本体
３、４  扉
６  取手
６ａ  台座
７  錠  
７ａ  台座    
８  上框
９  非常照明
１０  非常食料品保管スペース
１１  非常用備品保管スペース
１３  防災資料
１４  収納ケース
２０  引き出し
２１  棚
２３  落下防止ネット
２５  貴重品トレイ
２６  貴重品ボックス
３０  非常食料品
３１  仕切り板
３２  ゲージ
３３  カード
３７  賞味期限管理シール
【図１】
0004508069.tif 000002
【図２】
0004508069.tif 000003
【図３】
0004508069.tif 000004
【図４】
0004508069.tif 000005
【図５】
0004508069.tif 000006
【図６】
0004508069.tif 000007
【図７】
0004508069.tif 000008
【図８】
0004508069.tif 000009
【図９】
0004508069.tif 000010
【図１０】
0004508069.tif 000011